(57)【要約】      （修正有）【課題】裏張りを施すことなく耐ほつれ性を改善することのできる再織りを提供する。かばん及び袋物再織り物品において、表面と同じ柄模様を裏面にも現出させる。【解決手段】綿糸などの柔軟な植物性繊維糸でなる経糸と地緯糸とによって織り組織が形成されていて、その織り組織の緯糸にモール糸５を含ませることによって表裏に同一の柄模様を表出させた再織りにおいて、経糸３と地緯糸４とを、植物性繊維糸よりも腰の強い糸で置き換えて織り組織の張りを高める。経糸３と地緯糸４としてナイロン糸を用い得る。この再織り１をかばんに用いると、再織り１の柄模様をかばんの外側と内側とに露出させてもほつれなどが生じない。【選択図】図１
0003101543.tif 000002
【実用新案登録請求の範囲】
【請求項１】
綿糸などの柔軟な植物性繊維糸でなる経糸と、綿糸などの柔軟な植物性繊維糸でなる地緯糸及びモール糸でなる緯糸とによって織り組織が形成されていて、そのモール糸によって表裏に同一の柄模様を表出させた再織りにおいて、
植物性繊維糸でなる経糸と地緯糸とを、その植物性繊維糸よりも腰の強い糸でなる経糸と地緯糸とに置き換えることによって上記織り組織の張りを高めたことを特徴とする再織り。
【請求項２】
植物性繊維糸よりも腰の強い糸でなる経糸と地緯糸として化繊糸が選択されている請求項１に記載した再織り。
【請求項３】
化繊糸としてナイロン糸が選択されている請求項２に記載した再織り。
【請求項４】
請求項１ないし請求項３のいずれか１項に記載した再織りを素材として用いたかばん及び袋物であって、その再織りの柄模様を、当該かばん及び袋物の外側と内側とに露出させてあることを特徴とするかばん及び袋物。
【考案の詳細な説明】
【技術分野】
【０００１】
本考案は、裏張り生地などの余分な材料を用いずに張り（腰の強さ）が高められていて、ほつれが生じにくくなっている再織りに関する。また、本考案は、再織りによって形成した箇所でのほつれが生じにくく、しかも、再織りに具備される表裏同一の柄模様を装飾として有効に生かすことのできるかばん及び袋物の再織り物品。
【背景技術】
【０００２】
一般的に、再織りは、一度織りあげた織物を経糸方向に細かく切断したものによって作られるモール状の糸（モール糸）を緯糸にして織りあげた織物を指していて、「シェニール織り」とも云われ、その用途の１つにかばんや袋物、帽子などの素材としての用途がある。また、上記モール糸は、ＪＩＳでは「シェニール織物に使う飾ねん糸」と称されている。
【０００３】
この再織りは、綿糸、亜麻糸といった柔軟な植物性繊維糸でなる経糸と、同様に綿糸、亜麻糸といった柔軟な植物性繊維糸でなる地緯糸及び前記モール糸の緯糸とによって織り組織が形成されていて、その緯糸のモール糸によって前記織り組織の表裏に同一の柄模様を表出させたものである。
【０００４】
しかしながら、従来の再織りは、経糸や地緯糸に柔軟な植物性繊維糸が用いられており、緯糸に含まれるモール糸自体も大きな柔軟性を有しているために生地自体が柔軟性に富んでいるために、モール糸やそのモール糸を含む緯糸にほつれが生じやすいということも事実であり、ほつれが生じると、再織りによって現出される独特の柄模様が形崩れして見苦しくなる。
【０００５】
そこで、この再織りを再織り物品としてのかばんや袋物の素材として用いる場合、従来は、かばんや袋物に入れる物品が再織りと擦れて再織りにほつれが生じることを未然に防いだり、あるいは、再織りに必要な張りを持たせたりすることなどのために、再織りの裏面に張りのある紙や布地などで裏張りを施し、再織りにほつれを防止すると共に、再織りに必要な張りを持たせ、再織りをかばんや袋物の素材として使用していた。この点を図３に説明的に示してあり、同図において、１は再織り、２は裏張りを示している。なお、裏張り２には紙、布地などの張りの大きな素材が選択され、再織り１に対して接着剤による貼着のほか、縫合などの適宜手段によって再織りと一体化されている。
【考案の開示】
【考案が解決しようとする課題】
【０００６】
しかしながら、かばんや袋物などの再織り物品の再織りを使用しようとする場合、常に裏張りを施さなければならないという不便さが存在すると共に、再織りの大きな特長である表裏の柄模様の同一性という特質が損なわれ、表面では再織りの柄模様が現出するものの、裏面側（内面側）では再織りの柄模様が裏張りにより覆い隠されてしまって再織りについての上記特長を十分に生かすことができないという問題が生じていた。
【０００７】
本考案はこの問題に鑑みてなされたものであり、裏張りを施すことなく耐ほつれ性を改善することのできる再織りを提供することを目的とする。また、本考案は、表面と同じ柄模様が裏面（内面）にも現出し、しかも、必要な張りを持った再織りを用いたかばん及び袋物再織り物品を提供することを目的とする。
【課題を解決するための手段】
【０００８】
本考案に係る再織りは、綿糸などの柔軟な植物性繊維糸でなる経糸と、綿糸などの柔軟な植物性繊維糸でなる地緯糸及びモール糸でなる緯糸とによって織り組織が形成されていて、そのモール糸によって表裏に同一の柄模様を表出させた再織りにおいて、
植物性繊維糸でなる経糸と地緯糸とを、その植物性繊維糸よりも腰の強い糸でなる経糸と地緯糸とに置き換えることによって上記織り組織の張りを高めた、というものである。
【０００９】
再織りをこのように構成すると、経糸と地緯糸とが植物性繊維糸よりも腰の強い糸に置き換えられて織り組織の張りが高められているので、モール糸が高い柔軟性を備えた糸であるとしても、そのモール糸が腰の強い経糸と地緯糸とによって織り組織の中に位置ずれしないように保持されるようになる。そのために、モール糸のほつれや経糸や地緯糸のほつれが生じにくくなり、そのことが、ほつれによる表裏の柄模様の形崩れが生じにくくなる。
【００１０】
本考案では、植物性繊維糸よりも腰の強い糸でなる経糸と地緯糸として化繊糸が選択されている、という構成を採用することが可能であり、化繊糸にはたとえばナイロン糸が含まれる。
【００１１】
本考案に係るかばん及び袋物再織り物品は、再織りを素材として用いたかばん及び袋物であって、その再織りの柄模様を、当該再織り物品の外側と内側とに露出させてあるというものである。
【００１２】
この考案において、素材としての再織りには、上記したもの、すなわち、綿糸などの柔軟な植物性繊維糸でなる経糸と、綿糸などの柔軟な植物性繊維糸でなる地緯糸及びモール糸でなる緯糸とによって織り組織が形成されていて、そのモール糸によって表裏に同一の柄模様を表出させた再織りにおいて、植物性繊維糸でなる経糸と地緯糸とを、その植物性繊維糸よりも腰の強い糸でなる経糸と地緯糸とに置き換えることによって上記織り組織の張りを高めた再織りが含まれることは勿論、植物性繊維糸よりも腰の強い糸でなる経糸と地緯糸として化繊糸を選択したもの、さらには、化繊糸としてナイロン糸を選択したものが含まれる。
【００１３】
この構成のかばん及び袋物によると、再織りの表裏同一の柄模様がかばん及び袋物の外側と内側との両方に露出しているので、その柄模様をかばんおよび袋物の外側で見て楽しむことができることは勿論、その内側から見て楽しむことも可能になる。また、再織り自体の張りが高められているので、再織りの織り組織の経糸や地緯糸、モール糸などにほつれが生じにくくなっている。そのため、かばんおよび袋物の中に入れる物と再織りの裏面に表出している模様とが擦れあっても、その模様を構成している再織りの織り組織のモール糸がほつれるという事態を生じにくい。したがって、再織りの裏面の柄模様を覆い隠してしまうような裏張りを用いる必要がなくなる。
【考案の効果】
【００１４】
以上のように、本考案に係る再織りでは、従来の再織りの張りよりも高い張りが付与されて耐ほつれ性が改善されるようになる。また、裏張りを用いて張りを高めるものではなく、経糸や地緯糸の腰を強くして張りを高めてあるので、張りを高めることが要求される用途に本考案に係る再織りを用いると、表裏の柄模様を見えるように現出させることができるという再織りの特長が十分に生かされるようになり、しかも、その模様を構成している再織りの織り組織のモール糸がほつれによって形崩れするという事態も抑制されるので、モール糸のほつれによる柄模様の形崩れが抑制されるようになるという効果が奏される。
【００１５】
また、本考案に係るかばん及び袋物では、再織りの表地（表面）と同じ柄模様がその裏地（内面）にも現出することができ、しかも、再織りの使用箇所に必要な大きさの張りを持たせることが可能になる。
【考案を実施するための最良の形態】
【００１６】
図１は本考案に係る再織りの概略説明図、図２は同再織りを用いて製作した本考案に係る再織り物品の一事例であるかばんの概略斜視図である。
【００１７】
図１において、１は再織りを示している。同図に一部拡大して示したように、この再織り１の織り組織では、細い経糸３と、細い地緯糸４及びモール糸５とが平織りに織り込まれている。冒頭で説明したように、モール糸５は、一度織りあげた織物を経糸方向に細かく切断したものによって作られており、そのモール糸５のそれぞれにはモール状（毛虫状）の毛羽立ちが備わっている。また、モール糸５自体には高い柔軟性が備わっている。
【００１８】
これに対し、モール糸５を除く地緯糸４や経糸３には、化繊糸、たとえばナイロン糸が採用されている。化繊糸は、従来の再織りに用いられている綿糸や亜麻糸といった植物性繊維糸に比べて腰が強い。たとえばナイロン糸の場合、十数ｃｍという長さで糸１ｍｍ以下の太さの糸であっても、その一端を手の指でつかんで上向きに立てると、ナイロン糸の腰の強さによってそのナイロン糸自体が上方に延び出す形に保形されたままになり、横に倒れ込んだり下方へ垂れ下がったりすることはない。
【００１９】
図１では、織り組織の緯経糸３や地緯糸４が隙間を隔てて描かれているけれども、実際にはこれらの経糸３や地緯糸４は緻密に詰めて配列している。また、図１に説明的に示した事例の織り組織では、１本のモール糸５の片側に２本の化繊糸でなる地緯糸４が並んでいて、このような１本のモール糸５と２本の化繊糸でなる地緯糸４とを１単位とする緯糸群ａが経糸方向に緻密に並んでいる。そして、多数本のモール糸５の配列によって形成される柄模様が、再織り１の表面と裏面とに同一柄模様として現出している。
【００２０】
図１で説明した再織り１は、経糸３が植物性繊維糸よりも腰の強い化繊糸によって形成され、地緯糸４が植物性繊維糸よりも腰の強い化繊糸と高い柔軟性を備えたモール糸５とによで形成されているので、モール糸５が柔軟であるとしても、化繊糸でなる経糸３や地緯糸４の腰の強さに見合う張りが織り組織自体に与えられる。しかも、経糸３や地緯糸４は互いに交差する形に織り込まれているために、モール糸５が腰の強い経糸３や地緯糸４によって織り組織の中に位置ずれしないように保持されている。そのために、モール糸５のほつれや経糸３や地緯糸４のほつれが生じにくく、ほつれによる表裏の柄模様の形崩れも生じにくい。
【００２１】
再織り１の張りの大きさ（強さ）は、化繊糸でなる経糸３や地緯糸４に備わっている腰の強さに見合う大きさになる。そのため、それらの経糸３や地緯糸４の材質や太さなどを適切に選択することによって、再織り１に用途に応じて要求される張りの強さを定めることができる。このことにより、再織り１に裏張りを施してその張りを高めるということは必要なくなる。
【００２２】
なお、上記した緯糸群ａを形成するモール糸５の本数や、モール糸５を除く地緯糸４の本数などが図例に限定されないことは勿論であり、たとえば、モール糸５を除く地緯糸４の本数を増減して再織り１の張りの強さを増減調節することも可能である。経糸３の本数についても同様である。
【００２３】
図２に示したかばんＡでは、マチと呼ばれる部分の素材に再織り１を用いてあり、この再織り１には裏張りが施されていない。そのため、再織り１の柄模様１ａを、かばんＡの外側から見て楽しむことができるだけでなく、かばんＡの内側から見て楽しむこともできるようになっている。しかも、この再織り１には、図１で説明した再織り１、すなわち化繊糸でなる経糸３及び地緯糸４を用いた再織り１を用いているので、かばんＡのマチ部分に要求される適度の強さの張りが備わっているだけでなく、そのような強さの張りを化繊糸でなる経糸３及び地緯糸４の腰の強さによって発揮させているので、かばんＡに出し入れする物品が再織り１と擦れあったとしても、再織り１のモール糸５や経糸３や地緯糸４がほつれたりして表裏の柄模様が形崩れするという事態が起こりにくくなっている。
【００２４】
図２の事例では、かばんＡのマチ部分だけに再織り１を用いているけれども、かばんＡの全体形状を形作っている素材に再織りを用いることも可能である。また、図示していないけれども、再織りをかばん以外の物品、たとえば小物入れなどの袋物、帽子などの装身具、その他の物品の素材として用いることも可能である。
【図面の簡単な説明】
【００２５】
【図１】本考案に係る再織りの概略説明図である。
【図２】同再織りを用いて製作した本考案に係る再織り物品としてのかばんの概略斜視図である。
【図３】裏張りを施した再織りの説明図である。
【符号の説明】
【００２６】
１  再織り
３  経糸
４  地緯糸
５  モール糸
Ａ  かばん及び袋物
【図１】
0003101543.tif 000003
【図２】
0003101543.tif 000004
【図３】
0003101543.tif 000005
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
綿糸などの柔軟な植物性繊維糸でなる経糸と、綿糸などの柔軟な植物性繊維糸でなる地緯糸及びモール糸でなる緯糸とによって織り組織が形成されていて、そのモール糸によって表裏に同一の柄模様を表出させた再織りにおいて、
植物性繊維糸でなる経糸と地緯糸とを、その植物性繊維糸よりも腰の強い糸でなる経糸と地緯糸とに置き換えることによって上記織り組織の張りを高めたことを特徴とする再織り。
【請求項２】
植物性繊維糸よりも腰の強い糸でなる経糸と地緯糸として化繊糸が選択されている請求項１に記載した再織り。
【請求項３】
化繊糸としてナイロン糸が選択されている請求項２に記載した再織り。
【請求項４】
請求項１ないし請求項３のいずれか１項に記載した再織りを素材として用いたかばんの再織り物品であって、その再織りの柄模様を、当該かばんの再織り物品の外側と内側とに露出させてあることを特徴とするかばんの再織り物品。
【手続補正２】
【補正対象書類名】明細書
【補正対象項目名】全文
【補正方法】変更
【補正の内容】
【考案の詳細な説明】
【技術分野】
【０００１】
本考案は、裏張り生地などの余分な材料を用いずに張り（腰の強さ）が高められていて、ほつれが生じにくくなっている再織りに関する。また、本考案は、再織りによって形成した箇所でのほつれが生じにくく、しかも、再織りに具備される表裏同一の柄模様を装飾として有効に生かすことのできるかばんの再織り物品。
【背景技術】
【０００２】
一般的に、再織りは、一度織りあげた織物を経糸方向に細かく切断したものによって作られるモール状の糸（モール糸）を緯糸にして織りあげた織物を指していて、「シェニール織り」とも云われ、その用途の１つにかばんや袋物、帽子などの素材としての用途がある。また、上記モール糸は、ＪＩＳでは「シェニール織物に使う飾ねん糸」と称されている。
【０００３】
この再織りは、綿糸、亜麻糸といった柔軟な植物性繊維糸でなる経糸と、同様に綿糸、亜麻糸といった柔軟な植物性繊維糸でなる地緯糸及び前記モール糸の緯糸とによって織り組織が形成されていて、その緯糸のモール糸によって前記織り組織の表裏に同一の柄模様を表出させたものである。
【０００４】
しかしながら、従来の再織りは、経糸や地緯糸に柔軟な植物性繊維糸が用いられており、緯糸に含まれるモール糸自体も大きな柔軟性を有しているために生地自体が柔軟性に富んでいるために、モール糸やそのモール糸を含む緯糸にほつれが生じやすいということも事実であり、ほつれが生じると、再織りによって現出される独特の柄模様が形崩れして見苦しくなる。
【０００５】
そこで、この再織りを再織り物品としてのかばんの素材として用いる場合、従来は、かばんに入れる物品が再織りと擦れて再織りにほつれが生じることを未然に防いだり、あるいは、再織りに必要な張りを持たせたりすることなどのために、再織りの裏面に張りのある紙や布地などで裏張りを施し、再織りにほつれを防止すると共に、再織りに必要な張りを持たせ、再織りをかばんの素材として使用していた。この点を図３に説明的に示してあり、同図において、１は再織り、２は裏張りを示している。なお、裏張り２には紙、布地などの張りの大きな素材が選択され、再織り１に対して接着剤による貼着のほか、縫合などの適宜手段によって再織りと一体化されている。
【考案の開示】
【考案が解決しようとする課題】
【０００６】
しかしながら、かばんの再織り物品の再織りを使用しようとする場合、常に裏張りを施さなければならないという不便さが存在すると共に、再織りの大きな特長である表裏の柄模様の同一性という特質が損なわれ、表面では再織りの柄模様が現出するものの、裏面側（内面側）では再織りの柄模様が裏張りにより覆い隠されてしまって再織りについての上記特長を十分に生かすことができないという問題が生じていた。
【０００７】
本考案はこの問題に鑑みてなされたものであり、裏張りを施すことなく耐ほつれ性を改善することのできる再織りを提供することを目的とする。また、本考案は、表面と同じ柄模様が裏面（内面）にも現出し、しかも、必要な張りを持った再織りを用いたかばんの再織り物品を提供することを目的とする。
【課題を解決するための手段】
【０００８】
本考案に係る再織りは、綿糸などの柔軟な植物性繊維糸でなる経糸と、綿糸などの柔軟な植物性繊維糸でなる地緯糸及びモール糸でなる緯糸とによって織り組織が形成されていて、そのモール糸によって表裏に同一の柄模様を表出させた再織りにおいて、
植物性繊維糸でなる経糸と地緯糸とを、その植物性繊維糸よりも腰の強い糸でなる経糸と地緯糸とに置き換えることによって上記織り組織の張りを高めた、というものである。
【０００９】
再織りをこのように構成すると、経糸と地緯糸とが植物性繊維糸よりも腰の強い糸に置き換えられて織り組織の張りが高められているので、モール糸が高い柔軟性を備えた糸であるとしても、そのモール糸が腰の強い経糸と地緯糸とによって織り組織の中に位置ずれしないように保持されるようになる。そのために、モール糸のほつれや経糸や地緯糸のほつれが生じにくくなり、そのことが、ほつれによる表裏の柄模様の形崩れが生じにくくなる。
【００１０】
本考案では、植物性繊維糸よりも腰の強い糸でなる経糸と地緯糸として化繊糸が選択されている、という構成を採用することが可能であり、化繊糸にはたとえばナイロン糸が含まれる。
【００１１】
本考案に係るかばんの再織り物品は、再織りを素材として用いたかばんであって、その再織りの柄模様を、当該再織り物品の外側と内側とに露出させてあるというものである。
【００１２】
この考案において、素材としての再織りには、上記したもの、すなわち、綿糸などの柔軟な植物性繊維糸でなる経糸と、綿糸などの柔軟な植物性繊維糸でなる地緯糸及びモール糸でなる緯糸とによって織り組織が形成されていて、そのモール糸によって表裏に同一の柄模様を表出させた再織りにおいて、植物性繊維糸でなる経糸と地緯糸とを、その植物性繊維糸よりも腰の強い糸でなる経糸と地緯糸とに置き換えることによって上記織り組織の張りを高めた再織りが含まれることは勿論、植物性繊維糸よりも腰の強い糸でなる経糸と地緯糸として化繊糸を選択したもの、さらには、化繊糸としてナイロン糸を選択したものが含まれる。
【００１３】
この構成のかばんによると、再織りの表裏同一の柄模様がかばんの外側と内側との両方に露出しているので、その柄模様をかばんの外側で見て楽しむことができることは勿論、その内側から見て楽しむことも可能になる。また、再織り自体の張りが高められているので、再織りの織り組織の経糸や地緯糸、モール糸などにほつれが生じにくくなっている。そのため、かばんの中に入れる物と再織りの裏面に表出している模様とが擦れあっても、その模様を構成している再織りの織り組織のモール糸がほつれるという事態を生じにくい。したがって、再織りの裏面の柄模様を覆い隠してしまうような裏張りを用いる必要がなくなる。
【考案の効果】
【００１４】
以上のように、本考案に係る再織りでは、従来の再織りの張りよりも高い張りが付与されて耐ほつれ性が改善されるようになる。また、裏張りを用いて張りを高めるものではなく、経糸や地緯糸の腰を強くして張りを高めてあるので、張りを高めることが要求される用途に本考案に係る再織りを用いると、表裏の柄模様を見えるように現出させることができるという再織りの特長が十分に生かされるようになり、しかも、その模様を構成している再織りの織り組織のモール糸がほつれによって形崩れするという事態も抑制されるので、モール糸のほつれによる柄模様の形崩れが抑制されるようになるという効果が奏される。
【００１５】
また、本考案に係るかばんの再織り物品では、再織りの表地（表面）と同じ柄模様がその裏地（内面）にも現出することができ、しかも、再織りの使用箇所に必要な大きさの張りを持たせることが可能になる。
【考案を実施するための最良の形態】
【００１６】
図１は本考案に係る再織りの概略説明図、図２は同再織りを用いて製作した本考案に係る再織り物品の一事例であるかばんの概略斜視図である。
【００１７】
図１において、１は再織りを示している。同図に一部拡大して示したように、この再織り１の織り組織では、細い経糸３と、細い地緯糸４及びモール糸５とが平織りに織り込まれている。冒頭で説明したように、モール糸５は、一度織りあげた織物を経糸方向に細かく切断したものによって作られており、そのモール糸５のそれぞれにはモール状（毛虫状）の毛羽立ちが備わっている。また、モール糸５自体には高い柔軟性が備わっている。
【００１８】
これに対し、モール糸５を除く地緯糸４や経糸３には、化繊糸、たとえばナイロン糸が採用されている。化繊糸は、従来の再織りに用いられている綿糸や亜麻糸といった植物性繊維糸に比べて腰が強い。たとえばナイロン糸の場合、十数ｃｍという長さで糸１ｍｍ以下の太さの糸であっても、その一端を手の指でつかんで上向きに立てると、ナイロン糸の腰の強さによってそのナイロン糸自体が上方に延び出す形に保形されたままになり、横に倒れ込んだり下方へ垂れ下がったりすることはない。
【００１９】
図１では、織り組織の緯経糸３や地緯糸４が隙間を隔てて描かれているけれども、実際にはこれらの経糸３や地緯糸４は緻密に詰めて配列している。また、図１に説明的に示した事例の織り組織では、１本のモール糸５の片側に２本の化繊糸でなる地緯糸４が並んでいて、このような１本のモール糸５と２本の化繊糸でなる地緯糸４とを１単位とする緯糸群ａが経糸方向に緻密に並んでいる。そして、多数本のモール糸５の配列によって形成される柄模様が、再織り１の表面と裏面とに同一柄模様として現出している。
【００２０】
図１で説明した再織り１は、経糸３が植物性繊維糸よりも腰の強い化繊糸によって形成され、地緯糸４が植物性繊維糸よりも腰の強い化繊糸と高い柔軟性を備えたモール糸５とによで形成されているので、モール糸５が柔軟であるとしても、化繊糸でなる経糸３や地緯糸４の腰の強さに見合う張りが織り組織自体に与えられる。しかも、経糸３や地緯糸４は互いに交差する形に織り込まれているために、モール糸５が腰の強い経糸３や地緯糸４によって織り組織の中に位置ずれしないように保持されている。そのために、モール糸５のほつれや経糸３や地緯糸４のほつれが生じにくく、ほつれによる表裏の柄模様の形崩れも生じにくい。
【００２１】
再織り１の張りの大きさ（強さ）は、化繊糸でなる経糸３や地緯糸４に備わっている腰の強さに見合う大きさになる。そのため、それらの経糸３や地緯糸４の材質や太さなどを適切に選択することによって、再織り１に用途に応じて要求される張りの強さを定めることができる。このことにより、再織り１に裏張りを施してその張りを高めるということは必要なくなる。
【００２２】
なお、上記した緯糸群ａを形成するモール糸５の本数や、モール糸５を除く地緯糸４の本数などが図例に限定されないことは勿論であり、たとえば、モール糸５を除く地緯糸４の本数を増減して再織り１の張りの強さを増減調節することも可能である。経糸３の本数についても同様である。
【００２３】
図２に示したかばんＡでは、マチと呼ばれる部分の素材に再織り１を用いてあり、この再織り１には裏張りが施されていない。そのため、再織り１の柄模様１ａを、かばんＡの外側から見て楽しむことができるだけでなく、かばんＡの内側から見て楽しむこともできるようになっている。しかも、この再織り１には、図１で説明した再織り１、すなわち化繊糸でなる経糸３及び地緯糸４を用いた再織り１を用いているので、かばんＡのマチ部分に要求される適度の強さの張りが備わっているだけでなく、そのような強さの張りを化繊糸でなる経糸３及び地緯糸４の腰の強さによって発揮させているので、かばんＡに出し入れする物品が再織り１と擦れあったとしても、再織り１のモール糸５や経糸３や地緯糸４がほつれたりして表裏の柄模様が形崩れするという事態が起こりにくくなっている。
【００２４】
図２の事例では、かばんＡのマチ部分だけに再織り１を用いているけれども、かばんＡの全体形状を形作っている素材に再織りを用いることも可能である。また、図示していないけれども、再織りをかばん以外の物品、たとえば小物入れなどの袋物、帽子などの装身具、その他の物品の素材として用いることも可能である。
【図面の簡単な説明】
【００２５】
【図１】本考案に係る再織りの概略説明図である。
【図２】同再織りを用いて製作した本考案に係る再織り物品としてのかばんの概略斜視図である。
【図３】裏張りを施した再織りの説明図である。
【符号の説明】
【００２６】
１  再織り
３  経糸
４  地緯糸
５  モール糸
Ａ  かばん